(57)【要約】【課題】スケール粒子の分布密度の偏りを抑制して良好な捕集効率が得られるボイラ蒸気管のスケール捕集装置を提供すること。【解決手段】ボイラからの蒸気をタービンへ導く蒸気配管内に設置され、蒸気主流が下向きの流れから横向きの流れに流れ方向を変える曲がり部３に設けられて蒸気中に混入したスケール粒子Ｐａを分離させるボイラ蒸気管のスケール捕集装置１０Ａが、曲がり部３に連通する分岐部１１Ａと、分岐部１１Ａの下方に捕集空間を形成するポケット部１２とを備え、分岐部１１Ａに連通する蒸気配管の上流側及び下流側の少なくとも一方に蒸気主流の流路断面積拡大部１４を設けた。【選択図】図１
2008215098.tif 000002
【特許請求の範囲】
【請求項１】
ボイラからの蒸気をタービンへ導く蒸気配管内に設置され、蒸気主流が下向きの流れから横向きの流れに流れ方向を変える曲がり部に設けられて蒸気中に混入したスケール粒子を分離させるボイラ蒸気管のスケール捕集装置であって、
前記曲がり部に連通する分岐部と、該分岐部の下方に捕集空間を形成するポケット部とを備え、
前記分岐部に連通する前記蒸気配管の上流側及び下流側の少なくとも一方に、前記蒸気主流の流路断面積拡大部を設けたことを特徴とするボイラ蒸気管のスケール捕集装置。
【請求項２】
ボイラからの蒸気をタービンへ導く蒸気配管内に設置され、蒸気主流が下向きの流れから横向きの流れに流れ方向を変える曲がり部に設けられて蒸気中に混入したスケール粒子を分離させるボイラ蒸気管のスケール捕集装置であって、
前記曲がり部に連通する分岐部と、該分岐部の下方に捕集空間を形成するポケット部とを備え、
前記分岐部の上流側近傍に、前記蒸気主流が流れ方向を変える横向きの流れ方向とは異なる方向の慣性力を前記スケール粒子に与える配管曲げ部を設けたことを特徴とするボイラ蒸気管のスケール捕集装置。
【請求項３】
前記蒸気主流が横向きに流れを変える蒸気配管入口部分に邪魔板を設けたことを特徴とする請求項１または２に記載のボイラ蒸気管のスケール捕集装置。
【請求項４】
前記蒸気配管入口部分の下面を入口側が低い傾斜面としたことを特徴とする請求項１から３のいずれかに記載のボイラ蒸気管のスケール捕集装置。
【発明の詳細な説明】
【技術分野】
【０００１】
本発明は、火力発電プラントのボイラからタービンに至るボイラ蒸気管に適用されるボイラ蒸気管のスケール捕集装置に関する。
【背景技術】
【０００２】
従来、たとえば主蒸気管、再熱蒸気管及びタービンバイパス管等と呼ばれ、火力発電プラントのボイラからタービンに至るボイラ蒸気管は、ボイラで発生して配管内を流れる過熱蒸気中に、配管内面で成長・剥離した水蒸気酸化スケールの粒子（以下、「スケール粒子」と呼ぶ）が含まれている。このようなスケール粒子は、ボイラ蒸気管の下流側に配設されている弁類やタービン翼等を摩耗させる原因となる。このため、ボイラ蒸気管の適所には、たとえば図６に示すように、スケール捕集装置１０が取付けられている。
【０００３】
図６において、スケール捕集装置１０は、下向きのボイラ蒸気管（下向き蒸気管）１から水平方向のボイラ蒸気管（水平蒸気管）２に向けて方向を変える曲がり部３に設置されている。このスケール捕集装置１０は、蒸気の流れを下向きから水平に変える曲がり部３に連通している分岐部１１と、分岐部１１の下方に設けられて捕集空間を形成するポケット部１２とにより構成される。なお、ポケット部１２の下端となる先端部１３は、仕切弁や盲板等により閉じられている。
【０００４】
このようなスケール捕集装置１０を取り付けた曲がり部３では、図中に実線矢印Ｓで示すように、蒸気はボイラ蒸気管１，２により形成された配管径路に沿って流れていく。しかし、スケール粒子Ｐａは蒸気よりも密度が大きいため、曲がり部３を通過して下向きから水平方向へ流れ方向を変えるときに強い慣性力（遠心力）を受ける。この結果、スケール粒子Ｐａは、図中に破線矢印Ｐで示すように蒸気の流れからそれ、自重により下方のポケット部１２の空間内に落下して捕集される。
上述したスケール捕集装置１０の関連技術として、高いスケール捕集効率と圧力損失の低減とを両立させたものが提案されている。（たとえば、特許文献１参照）
【特許文献１】特許第３０９５７３４号公報
【発明の開示】
【発明が解決しようとする課題】
【０００５】
ところで、上述したスケール捕集装置１０の捕集効果は、スケール捕集装置１０の上流配管が下向きとなる場合に高くなる。
しかし、実際にボイラの実機内に設置することを考えた場合、たとえば図７に示すように、水平なボイラ蒸気管（水平管部）４から曲がり配管のエルボ５を介して下向き蒸気管１となり、この下向き蒸気管１からすぐに水平蒸気管２となるような箇所に設置されることも予想される。
【０００６】
このような配置の場合、図７に示しように、水平管部４から下向きの下向き蒸気管１に曲がるエルボ５内において、スケール粒子Ｐａは、遠心力により旋回半径が大となるエルボ５の外側に偏って流れる。このため、下向きから水平方向へ流れを変える分岐部１１では、エルボ５からの距離が近いこともあり、図７に破線矢印Ｐ′で示すように、水平蒸気管２に連通する蒸気出口２ａ側を流れるスケール粒子Ｐａの密度が高くなる。
従って、蒸気とともに水平蒸気管２へ向けて流出するスケール粒子Ｐａの量が多くなるため、下方へ直進して流れるスケール粒子Ｐａの割合は減少するので、スケール捕集装置１０の捕集効率を低下させる原因になる。
【０００７】
このような背景から、下向き蒸気管１のどちらかにスケール粒子Ｐａが偏っても、すなわち、蒸気管内を流れるスケール粒子Ｐａの分布密度に偏りが生じる場合であっても、スケール捕集装置１０の捕集効率に対する影響を小さくする対策が必要となる。
本発明は、上記の事情に鑑みてなされたものであり、その目的とするところは、スケール粒子の分布密度に偏りを生じやすい位置に配置された場合であっても、スケール粒子の分布密度の偏りを抑制して良好な捕集効率が得られるボイラ蒸気管のスケール捕集装置を提供することにある。
【課題を解決するための手段】
【０００８】
本発明は、上記の課題を解決するため、下記の手段を採用した。
本発明に係るボイラ蒸気管のスケール捕集装置は、ボイラからの蒸気をタービンへ導く蒸気配管内に設置され、蒸気主流が下向きの流れから横向きの流れに流れ方向を変える曲がり部に設けられて蒸気中に混入したスケール粒子を分離させるボイラ蒸気管のスケール捕集装置であって、
前記曲がり部に連通する分岐部と、該分岐部の下方に捕集空間を形成するポケット部とを備え、前記分岐部に連通する前記蒸気配管の上流側及び下流側の少なくとも一方に、前記蒸気主流の流路断面積拡大部を設けたことを特徴とするものである。
【０００９】
このようなボイラ蒸気管のスケール捕集装置によれば、曲がり部に連通する分岐部と、該分岐部の下方に捕集空間を形成するポケット部とを備え、分岐部に連通する蒸気配管の上流側及び下流側の少なくとも一方に、蒸気主流の流路断面積拡大部を設けたので、流路面積の増加分だけ蒸気主流の流速を低下させて遅くすることができる。すなわち、スケール粒子に作用する蒸気主流の流体力が減少するので、スケール粒子の慣性力が相対的に大きくなる。
【００１０】
本発明に係るボイラ蒸気管のスケール捕集装置は、ボイラからの蒸気をタービンへ導く蒸気配管内に設置され、蒸気主流が下向きの流れから横向きの流れに流れ方向を変える曲がり部に設けられて蒸気中に混入したスケール粒子を分離させるボイラ蒸気管のスケール捕集装置であって、
前記曲がり部に連通する分岐部と、該分岐部の下方に捕集空間を形成するポケット部とを備え、前記分岐部の上流側近傍に、前記蒸気主流が流れ方向を変える横向きの流れ方向とは異なる方向の慣性力を前記スケール粒子に与える配管曲げ部を設けたことを特徴とするものである。
【００１１】
このようなボイラ蒸気管のスケール捕集装置によれば、曲がり部に連通する分岐部と、該分岐部の下方に捕集空間を形成するポケット部とを備え、分岐部の上流側近傍に、蒸気主流が流れ方向を変える横向きの流れ方向とは異なる方向の慣性力をスケール粒子に与える配管曲げ部を設けたので、スケール粒子の流れは、流れ方向を横向きに変える蒸気主流から分離される。すなわち、スケール粒子に作用する蒸気主流の流体力と比較して、スケール粒子の慣性力が相対的に大きくなる。
【００１２】
上記の発明においては、前記蒸気主流が横向きに流れを変える蒸気配管入口部分に邪魔板を設けることが好ましく、これにより、流れ方向を横向き変えたスケール粒子を邪魔板に当てて捕集することができる。
【００１３】
上記の発明においては、前記蒸気配管入口部分の下面を入口側が低い傾斜面とすることが好ましく、これにより、流れ方向を横向き変えたスケール粒子を傾斜面に当てて捕集することができる。
【発明の効果】
【００１４】
上述した本発明によれば、分岐部近傍においてはスケール粒子の慣性力が蒸気流れ（蒸気主流）から受ける流体力よりも相対的に大きくなるので、スケール粒子は分岐部で水平方向へ流れを変えて蒸気出口側へ搬送されにくくなる。この結果、分岐部を直進して流れるスケール粒子量の割合が増すので、ボイラ蒸気管のスケール捕集装置は、その捕集効率が向上するという顕著な効果を得られる。
【発明を実施するための最良の形態】
【００１５】
以下、本発明に係るボイラ蒸気管のスケール捕集装置の一実施形態を図面に基づいて説明する。
＜第１の実施形態＞
図１に示すスケール捕集装置１０Ａは、ボイラからの蒸気をタービンへ導くボイラ蒸気管（蒸気配管）内に設置され、蒸気主流が下向きの流れから横向きの流れに流れ方向を変える曲がり部に設けられて蒸気中に混入したスケール粒子を分離させる装置である。
【００１６】
具体的に説明すると、スケール捕集装置１０Ａは、下向きのボイラ蒸気管（下向き蒸気管）１から水平方向のボイラ蒸気管（水平蒸気管）２に向けて方向を変える曲がり部３に設置されている。このスケール捕集装置１０Ａは、蒸気の流れを下向きから水平に変える曲がり部３に連通している分岐部１１Ａと、分岐部１１Ａの下方に設けられて捕集空間を形成するポケット部１２とにより構成される。なお、ポケット部１２の下端となる先端部１３は、仕切弁や盲板等により閉じられた状態にして運転される。
この実施形態では、分岐部１１Ａに連通する下向き蒸気管１を拡径することにより、蒸気主流の流路断面積拡大部１４が設けられている。この流路断面積拡大部１４は、分岐部１１Ａの上流側となる下向き蒸気管１の断面積を分岐直前で拡大した構造とされ、分岐部１１Ａにおける蒸気主流の流速を低下させるものである。
【００１７】
以下、上述したスケール捕集装置１０Ａの作用を説明する。
スケール捕集装置１０Ａの上流側では、蒸気の流れによって搬送されてきたスケール粒子Ｐａがおおよそ蒸気主流と同等の流速を有している。しかし、分岐部１１Ａの直前に設けた流路断面積拡大部１４で下向き蒸気管１に連通する流路断面積が拡大すると、蒸気主流の流速はおおよそ断面積の変化分だけ遅くなるが、スケール粒子Ｐａは、図中に破線矢印Ｐ１で示すように、慣性力により上流の蒸気主流とほぼ同様の流速のままポケット部１２へ向けて直進しようとする。
【００１８】
一方、分岐部１１Ａから水平蒸気管２へ向けて曲がる蒸気主流の流速は、水平蒸気管２の蒸気出口２ａにおいて従来より流速が遅くなっているので、図中に実線矢印Ｓ１で示すように下向き蒸気管１から水平蒸気管２へ曲がって流れる蒸気主流からスケール粒子Ｐａが受ける流体力も小さくなる。この結果、スケール粒子Ｐａは、ポケット部１２へ落下して行きやすくなるので、スケール捕集装置１０Ａの粒子捕集効率は向上する。
従って、分岐部１１Ａの上流側近傍にエルボ等が存在してスケール粒子Ｐａの分布密度に偏りを生じる場合であっても、その影響を最小限に抑えてスケール捕集装置１０Ａの良好な捕集効率を達成可能となる。
【００１９】
すなわち、本実施形態のスケール捕集装置１０Ａは、分岐部１１Ａの上流側直前に下向き蒸気管１の流路断面積を拡大させた流路断面積拡大部１４を設ける構成により、大きな慣性力の影響を受けるスケール粒子Ｐａが蒸気主流からの流体力で速度変化するまで時間差を利用して捕集効率を向上させたものである。換言すれば、下向きの慣性力を受けるスケール粒子Ｐａは、蒸気主流から受ける流体力と比較して相対的に慣性力が大きくなるので、分岐部１１Ａで水平方向へ流れ方向を変える蒸気主流から分岐し、ポケット部１２へ向けて直進しようとする方向の流れを強める。この結果、スケール粒子Ｐａの分布密度が偏る場合であっても、スケール補修装置１０は良好な捕集効率を達成できる。
【００２０】
＜第２の実施形態＞
次に、本発明に係るボイラ蒸気管のスケール捕集装置について、第２の実施形態を図２に基づいて説明する。なお、上述した第１の実施形態と同様の部分には同じ符号を付し、その詳細な説明は省略する。
この実施形態で説明するスケール捕集装置１０Ｂは、分岐部１１Ｂから分岐した水平蒸気管２側に流路断面積拡大部１５を設けてある。すなわち、分岐部１１Ｂに連通する水平蒸気管２の接続部分である蒸気出口２ａにおいて、流路断面積が拡大された構成となっている。このような構成により、分岐部１１Ｂから水平蒸気管２へ流れ方向を変えて流入した蒸気主流は、流路断面積の増大分だけ流速が低下する。
【００２１】
以下、上述したスケール捕集装置１０Ｂの作用を説明する。
スケール捕集装置１０Ｂの上流側では、蒸気の流れによって搬送されてきたスケール粒子Ｐａがおおよそ蒸気主流と同等の流速を有している。しかし、分岐部１１Ｂの直後に設けた流路断面積拡大部１５で水平蒸気管２に連通する流路断面積が拡大すると、図中に矢印Ｓ２で示す蒸気主流の流速は、流れ方向を変えた直後におおよそ断面積の変化分だけ遅くなる。
このため、分岐部１１Ｂで流れ方向を変える際、蒸気主流からスケール粒子Ｐａに作用する流体力は小さくなる。この結果、スケール粒子Ｐａは、慣性力により上流の蒸気主流とほぼ同様の流速を維持して直進しやすくなるので、水平方向へ流れ方向を転換する蒸気主流から分離してポケット部１２に捕集される。
【００２２】
すなわち、分岐部１１Ｂに連通する水平蒸気管２が分岐部１１Ｂに連通する蒸気出口２ａ側の断面積を上流の下向き配管１より大きく設定することにより、分岐部１１Ｂから蒸気出口２ａを経て水平蒸気管２へ向かう蒸気主流の流速及び蒸気主流からスケール粒子Ｐａに作用する流体力がともに小さくなるので、水平蒸気管２を通って下流へ搬送されるスケール粒子Ｐａの量は減少する。換言すれば、水平蒸気管２を通って下流へ搬送されるスケール粒子Ｐａの量が減少する分だけ、スケール捕集装置１０Ｂに捕集されるスケール粒子Ｐａの量は増加する。
従って、分岐部１１Ｂの上流側近傍にエルボ等が存在してスケール粒子Ｐａの分布密度に偏りを生じる場合であっても、その影響を最小限に抑えてスケール捕集装置１０Ｂの良好な捕集効率を達成可能となる。
【００２３】
ところで、本実施形態では分岐部１１Ｂから水平方向へ流れ方向を変えた直後の位置にのみ流路断面積拡大部１５を設けてあるが、この流路断面積１５に上述した第１の実施形態で説明した流路断面積拡大部１４を組み合わせた構成としてもよい。すなわち、分岐部に連通する蒸気配管の上流側となる下向き蒸気管１及び下流側となる水平蒸気管２の少なくとも一方に、蒸気配管の流路断面積を増して蒸気主流の流速を低下させる流路断面積拡大部を設ければよい。
【００２４】
＜第３の実施形態＞
次に、本発明に係るボイラ蒸気管のスケール捕集装置について、第３の実施形態を図３に基づいて説明する。なお、上述した第１及び第２の実施形態と同様の部分には同じ符号を付し、その詳細な説明は省略する。
本実施形態のスケール捕集装置１０Ｃは、上述した第２の実施形態と同様に、分岐部１１Ｃから分岐した水平蒸気管２側に流路断面積拡大部１６を設けてある。すなわち、分岐部１１Ｃに連通する水平蒸気管２の接続部分である蒸気出口２ａにおいて、流路断面積が拡大された構成となっているので、分岐部１１Ｃから水平蒸気管２へ流れ方向を変えて流入した蒸気主流は、流路断面積の増大分だけ流速が低下する。
【００２５】
このような構成に加えて、本実施形態の流路断面積１６は、水平蒸気管２の入口部分の下面を、蒸気出口２ａと一致する入口側が低い傾斜面１７にしてある。このような構成により、分岐部１１Ｃで蒸気主流とともに流れ方向を横向きに変えたスケール粒子Ｐａは、少なくとも一部が傾斜面１７に当たることとなる。このため、傾斜面１７に当たったスケール粒子Ｐａが失速して蒸気主流から分離され、傾斜面１７に沿って落下することでポケット部１２に捕集される。
【００２６】
また、流路断面積１６には、蒸気主流の流路を残して、蒸気主流が横向きに流れを変える水平蒸気管２の入口部分（蒸気出口２ａ）に邪魔板１８を設けてある。この邪魔板１８は、互いに隣接する複数の板間に適当な大きさの隙間を形成して蒸気主流の流路としてある。
このような構成により、図中に破線矢印Ｐ３で示すように、分岐部１１Ｃにおいて蒸気主流（図中に実線矢印Ｓ３で表示）とともに流れ方向を横向きに変えたスケール粒子Ｐａは、少なくとも一部が邪魔板１８に当たることとなる。こうして傾斜面１８に当たったスケール粒子Ｐａは、蒸気主流から分離された後、ポケット部１２に落下して捕集される。この場合の邪魔板１８は、上下方向の同一平面上に配置してもよいし、あるいは、図３に示すように、水平方向にずらして配置してもよい。なお、邪魔板１８を設けると水平蒸気管２側の流路抵抗が増すので、その分だけ蒸気主流の流速を低下させる作用もある。
このとき、上述した傾斜面１７が設けられていると、両者が協働して同様の機能を発揮するとともに、落下したスケール粒子Ｐａをポケット部１２へスムーズに導いて捕集することができる。
【００２７】
従って、傾斜面１７及び邪魔板１８の少なくとも一方を備えたスケール捕集装置１０Ｃは、スケール粒子Ｐａの捕集効率がより一層向上する。なお、ここで説明した傾斜面１７及び邪魔板１８は、上述した第２の実施形態に組み合わせるだけでなく、第１の実施形態と組み合わせる構成にしても同様の作用効果を得ることができる。
【００２８】
＜第４の実施形態＞
最後に、本発明に係るボイラ蒸気管のスケール捕集装置について、第４の実施形態を図４に基づいて説明する。なお、上述した各実施形態と同様の部分には同じ符号を付し、その詳細な説明は省略する。
本実施形態のスケール捕集装置１０Ｄは、曲がり部３に連通する分岐部１１と、分岐部１１の下方に捕集空間を形成するポケット部１２とを備え、分岐部１１の上流側近傍に、蒸気主流が流れ方向を変える横向きの流れ方向とは異なる方向の慣性力をスケール粒子Ｐａに与える配管曲げ部２０を備えている。すなわち、図示のスケール捕集部１０Ｄは、図７に示した従来構成に加えて、図中に実線矢印Ｓ４で示す蒸気主流が流れ方向を変える横向き（図示の例では紙面右側）の流れ方向とは異なる方向（図示の例では紙面左側）の慣性力をスケール粒子Ｐａに与えるために、配管曲げ部２０が設けられている。
【００２９】
具体的に説明すると、分岐部１１の上流が水平から下向きに曲がる蒸気配管となっている場合、たとえば図７に示すように、水平蒸気管４からエルボ５を介して下向きに曲がるとともに、比較的短い距離の下向き配管１を介して分岐部１１に連結される場合には、図４に示す構成例のように、分岐部１１より上流側となる下向き配管１に配管曲げ部２０を介在させている。この配管曲げ部２０は、分岐部１１の蒸気出口２ａが開口する方向（紙面右側）と反対側（紙面左側）に下向き蒸気管１の中心軸が移動するように、たとえば２個のエルボ２０ａ，２０ｂを連結して下向き蒸気管１を曲げた部分であり、分岐部１１に流入するスケール粒子Ｐａの移動して偏る方向を、蒸気出口２ａが開口する方向と反対にするものである。なお、この実施形態におけるスケール粒子Ｓａの流れは、図中に破線矢印Ｐ４で示されている。
【００３０】
分岐部１１の上流で水平から下向きに曲がる蒸気配管中では、前述した図７に示すように、スケール粒子Ｓａは遠心力の影響で蒸気出口に近い紙面右側に寄っていく。しかしながら、分岐部１１の上流側で下向き配管１に蒸気出口２ａと反対側の紙面左側に中心軸が移動するような配管曲がり部２０があると、分岐部１１の直前においては、配管曲がり部２０の影響で蒸気流れ及び粒子の移動方向は蒸気主流と反対側に寄る。すなわち、分岐部１１で蒸気主流は水平蒸気管２に連通する蒸気出口２ａ側へ向かうが、スケール粒子Ｓａは慣性力（遠心力）により曲がりきれず、蒸気主流から分離されてそのまま下方へ直進するようにしてポケット部１２の方向へ落下する。このようにして、スケール粒子Ｓａは分岐部１１から水平方向に流れ方向を変えて蒸気出口側へ行きにくくなるので、この結果、スケール捕集装置１０Ｄの粒子捕集効率は向上する。
【００３１】
ここで、本実施形態のスケール捕集装置１０Ｄに対し、上述した各実施形態の特徴的な構成を組み合わせることも可能である。すなわち、分岐部１１に流路断面積拡大部１４，１５を設けたり、さらに、流路断面積拡大部１４に傾斜面１７や邪魔板１８を組み合わせた構成とすれば、スケール粒子Ｐａの捕集効率をより一層向上させることができる。
【００３２】
図５は、制御因子となる４つのパラメータについて、タグチメソッドによりＳＮ比をもとめた実験結果を示している。
ここで、スケール粒子Ｐａの粒子径をｄ、粒子密度をρp とする。また、各部の寸法については、図５（ａ）に示すように、下向き蒸気管１及び水平蒸気管２の内径をＤ１、流路断面積拡大部１４の内径をＤ２、流路断面積拡大部１５の内径をＤ３、流路断面積拡大部１４の流路長さをＬ１、流路断面積拡大部１５の流路長さをＬ３とする。
【００３３】
図５（ｂ）に示す実験結果によれば、Ｄ２／Ｄ１のＳＮ比は２、ｘのＳＮ比は０．５、Ｌ１／Ｄ１のＳＮ比は２、Ｌ３／Ｄ１のＳＮ比は１が各々最適値となる。このことから、各蒸気管の内径Ｄ１、Ｄ２、Ｄ３が等しい（Ｄ１＝Ｄ２＝Ｄ３）場合と比較して、上記の最適値を採用した構成のスケール捕集装置で良好な捕集効率を得られることが分かる。
【００３４】
上述したように、本発明のスケール捕集装置によれば、分岐部近傍においてはスケール粒子Ｐａの慣性力が蒸気主流から受ける流体力よりも相対的に大きくなるので、スケール粒子Ｐａは分岐部で水平方向へ流れを変えて蒸気出口側へ搬送されにくくなる。従って、分岐部を直進して流れるスケール粒子量の割合が増し、スケール補修装置の捕集効率が向上する。
なお、本発明は上述した実施形態に限定されるものではなく、本発明の要旨を逸脱しない範囲内において適宜変更することができる。
【図面の簡単な説明】
【００３５】
【図１】本発明に係るボイラ蒸気管のスケール捕集装置の一実施形態として、第１の実施形態を示す構成図である。
【図２】本発明に係るボイラ蒸気管のスケール捕集装置の一実施形態として、第２の実施形態を示す構成図である。
【図３】本発明に係るボイラ蒸気管のスケール捕集装置の一実施形態として、第３の実施形態を示す構成図である。
【図４】本発明に係るボイラ蒸気管のスケール捕集装置の一実施形態として、第４の実施形態を示す構成図である。
【図５】制御因子となる４つのパラメータについて、タグチメソッドによりＳＮ比を求めた実験結果を示しており、（ａ）は各部寸法を示す図、（ｂ）は実験結果を示す図である。
【図６】本発明に係るボイラ蒸気管のスケール捕集装置の従来構造を示す構成図である。
【図７】スケール捕集装置の従来構造について、本発明の課題を説明するための構成図である。
【符号の説明】
【００３６】
１    下向き蒸気管
２    水平蒸気管
３    曲がり部
１０，１０Ａ〜Ｄ    スケール捕集装置
１１，１１Ａ〜Ｃ    分岐部
１２    ポケット部
１４，１５，１６    流路断面積拡大部
１７    傾斜面
１８    邪魔板
２０    配管曲がり部
【図１】
2008215098.tif 000003
【図２】
2008215098.tif 000004
【図３】
2008215098.tif 000005
【図４】
2008215098.tif 000006
【図５】
2008215098.tif 000007
【図６】
2008215098.tif 000008
【図７】
2008215098.tif 000009